(57)【要約】      （修正有）【課題】設置や収納に場所をとらず、また、支持台や支持脚がじゃまにならず、軽量化が容易な立て掛け家具を提供する。【解決手段】本体１１が、壁１に斜めに立て掛けて設置可能に設けられている。弾性を有する下端滑止め部材１２が、本体１１の下部の設置面２に接触する位置に設けられている。また、弾性を有する上端滑止め部材１３が、本体１１の上部の壁１に接触する位置に設けられている。下端滑止め部材１２および上端滑止め部材１３は、シリコンチューブの内部にシリコンゴムを注入して形成されている。【選択図】図２
0003166275.tif 000002
【実用新案登録請求の範囲】
【請求項１】
壁に斜めに立て掛けられる本体と、
前記本体の下端に、立て掛けたとき設置面に接触するよう設けられた弾性の下端滑止め部材と、
前記本体の上端に、立て掛けたとき前記壁に接触するよう設けられた弾性の上端滑止め部材とを、
有することを特徴とする立て掛け家具。
【請求項２】
前記下端滑止め部材および前記上端滑止め部材は、シリコンチューブの内部にシリコンゴムを注入して形成されていることを、特徴とする請求項１記載の立て掛け家具。
【請求項３】
前記下端滑止め部材および前記上端滑止め部材は、シリコンチューブの両端を閉じて内部に空気を密封して形成されていることを、特徴とする請求項１記載の立て掛け家具。
【請求項４】
前記本体は本棚から成り、両側縁に沿って設けられた１対の棒状の側方支持部材と、各側方支持部材の上端部を連結するよう設けられた天板と、各側方支持部材を所定の高さ位置で連結するよう設けられた１または複数の棚板と、各側方支持部材と前記天板および／または前記棚板とで囲まれた範囲を覆うよう各側方支持部材の背面側に設けられた背板とを有し、
前記下端滑止め部材は各側方支持部材の下端に設けられ、
前記上端滑止め部材は前記天板の背面部に設けられていることを、
特徴とする請求項１、２または３記載の立て掛け家具。
【請求項５】
前記本体はハンガーラックから成り、両側縁に沿って設けられた１対の棒状の側方支持部材と、各側方支持部材の上端部を連結するよう設けられた天板と、各側方支持部材の下部を連結するよう設けられた下部連結部材と、各側方支持部材の所定の高さ位置に正面側に突出するよう設けられた１対の突出支持部材と、各突出支持部材の先端に架け渡されて水平に伸びるよう設けられた棒状のハンガー掛けとを有し、
前記下端滑止め部材は各側方支持部材の下端に設けられ、
前記上端滑止め部材は前記天板の背面部に設けられていることを、
特徴とする請求項１、２または３記載の立て掛け家具。
【考案の詳細な説明】
【技術分野】
【０００１】
本考案は、立て掛け家具に関する。
【背景技術】
【０００２】
従来、本棚やハンガーラック等の家具は、支持台や支持脚により自立して設置可能に構成されている（例えば、特許文献１または２参照）。
【先行技術文献】
【特許文献】
【０００３】
【特許文献１】実用新案登録第３０２０８１８号公報
【特許文献２】実用新案登録第３１２９１３２号公報
【考案の概要】
【考案が解決しようとする課題】
【０００４】
しかしながら、特許文献１および２に記載のような家具は、自立させるために支持台や支持脚が大きく形成されており、設置や収納に広いスペースを必要とするという課題があった。また、傍を通るときに、出っ張った支持台や支持脚に足がぶつかったり、引っ掛かって転倒したりといった危険があるという課題もあった。支持台や支持脚により全体が重くなり、移動させるのにかなりの労力を要したり、キャスター等が必要となるという課題もあった。
【０００５】
本考案は、このような課題に着目してなされたもので、設置や収納に場所をとらず、また、支持台や支持脚がじゃまにならず、軽量化が容易な立て掛け家具を提供することを目的とする。
【課題を解決するための手段】
【０００６】
上記目的を達成するために、本考案に係る立て掛け家具は、壁に斜めに立て掛けられる本体と、前記本体の下端に、立て掛けたとき設置面に接触するよう設けられた弾性の下端滑止め部材と、前記本体の上端に、立て掛けたとき前記壁に接触するよう設けられた弾性の上端滑止め部材とを、有することを特徴とする。
【０００７】
本考案に係る立て掛け家具は、本体を壁に斜めに立て掛けて設置することができる。このとき、下端滑止め部材により、本体が設置面に沿って滑るのを防ぐことができ、上端滑止め部材により、本体が壁に沿ってずり落ちるのを防ぐことができる。このように、本体の下部と上部とで滑りを防止することができ、いずれか一方のみで滑りを防ぐものと比べても、安定して設置することができる。下端滑止め部材および上端滑止め部材は、それぞれ１対から成ることが好ましい。
【０００８】
本考案に係る立て掛け家具は、大きな支持台や支持脚を必要としないため、設置や収納に場所をとらない。また、本体の設置位置からの出っ張りがないため、出っ張った支持台や支持脚に足がぶつかったり、引っ掛かって転倒したりしにくく、安全性が高い。大きな支持台や支持脚を必要としないため、軽量化が容易である。下端滑止め部材および上端滑止め部材が弾性を有しているため、緩衝効果が得られ、それらが接触する設置面や壁を傷付けにくい。
【０００９】
本考案に係る立て掛け家具で、前記下端滑止め部材および前記上端滑止め部材は、シリコンチューブの内部にシリコンゴムを注入して形成されていることが好ましい。また、本考案に係る立て掛け家具で、前記下端滑止め部材および前記上端滑止め部材は、シリコンチューブの両端を閉じて内部に空気を密封して形成されていてもよい。この場合、弾力性、耐久性に優れ、緩衝効果および滑止め効果が高い下端滑止め部材および上端滑止め部材となるので、大きな荷重がかかっても、破損しにくくかつ倒れにくい。
【００１０】
本考案に係る立て掛け家具で、前記本体は本棚から成り、両側縁に沿って設けられた１対の棒状の側方支持部材と、各側方支持部材の上端部を連結するよう設けられた天板と、各側方支持部材を所定の高さ位置で連結するよう設けられた１または複数の棚板と、各側方支持部材と前記天板および／または前記棚板とで囲まれた範囲を覆うよう各側方支持部材の背面側に設けられた背板とを有し、前記下端滑止め部材は各側方支持部材の下端に設けられ、前記上端滑止め部材は前記天板の背面部に設けられていてもよい。
この場合、比較的狭い場所でも安全に設置することができ、軽くて移動が容易な本棚が得られる。背板は、各側方支持部材と天板および／または棚板とで囲まれた範囲の全体を覆ってもよく、載せる本が落下しないよう、その範囲の一部を覆ってもよい。各側方支持部材の背面側全体を一枚の背板で覆ってもよく、囲まれた範囲ごとに別々の背板で覆ってもよい。
【００１１】
本考案に係る立て掛け家具で、前記本体はハンガーラックから成り、両側縁に沿って設けられた１対の棒状の側方支持部材と、各側方支持部材の上端部を連結するよう設けられた天板と、各側方支持部材の下部を連結するよう設けられた下部連結部材と、各側方支持部材の所定の高さ位置に正面側に突出するよう設けられた１対の突出支持部材と、各突出支持部材の先端に架け渡されて水平に伸びるよう設けられた棒状のハンガー掛けとを有し、前記下端滑止め部材は各側方支持部材の下端に設けられ、前記上端滑止め部材は前記天板の背面部に設けられていてもよい。この場合、設置や収納に場所をとらず、また、支持台や支持脚がじゃまにならず、軽量化が容易なハンガーラックが得られる。天板は、上に帽子などを載せられるようになっていてもよい。各突出支持部材は、ハンガー掛けの高さを変更できるよう、各側方支持部材の複数の任意の高さ位置に着脱可能に設けられていてもよい。
【考案の効果】
【００１２】
本考案によれば、設置や収納に場所をとらず、また、支持台や支持脚がじゃまにならず、軽量化が容易な立て掛け家具を提供することができる。
【図面の簡単な説明】
【００１３】
【図１】本考案の第１の実施の形態の立て掛け家具を示す（ａ）正面図、（ｂ）背面図である。
【図２】図１に示す立て掛け家具の（ａ）縦断面図、（ｂ）使用状態を示す右側面図である。
【図３】本考案の第２の実施の形態の立て掛け家具を示す（ａ）正面図、（ｂ）背面図である。
【図４】図３に示す立て掛け家具の（ａ）縦断面図、（ｂ）使用状態を示す右側面図である。
【考案を実施するための形態】
【００１４】
以下、図面に基づき本考案の実施の形態について説明する。
図１および図２は、本考案の第１の実施の形態の立て掛け家具を示している。
図１および図２に示すように、本考案の第１の実施の形態の立て掛け家具１０は、本棚から成り、本体１１と１対の下端滑止め部材１２と１対の上端滑止め部材１３とを有している。
【００１５】
本体１１は、縦長矩形状の薄い箱形を成し、１対の側方支持部材２１と天板２２と３つの棚板２３と背板２４とを有している。各側方支持部材２１は、角棒状で、両側縁に沿って互いに平行に設けられている。各側方支持部材２１は、下端部の背面側の角が曲面状に面取り加工されている。天板２２は、細長い板状で、各側方支持部材２１の上端を連結するよう設けられている。天板２２は、両端部が各側方支持部材２１よりも外側に突出するよう設けられている。天板２２は、厚みが上下方向になるよう取り付けられている。
【００１６】
各棚板２３は、細長く薄い板状で、それぞれ所定の高さ位置で各側方支持部材２１を連結するよう設けられている。一番下の棚板２３は、各側方支持部材２１の下端よりやや上方に取り付けられている。各棚板２３は、天板２２に対して平行を成し、厚みが上下方向になるよう取り付けられている。各棚板２３は、正面側の側縁に沿って、上方に突出したフランジ部２３ａを有している。背板２４は、薄い矩形板から成り、各側方支持部材２１と天板２２と一番下の棚板２３とで囲まれた範囲を覆うよう、各側方支持部材２１の背面側に取り付けられている。
【００１７】
各下端滑止め部材１２および各上端滑止め部材１３は、やや短めのシリコンチューブの内部にシリコンゴムを注入して形成されており、弾性を有している。各下端滑止め部材１２は、それぞれ各側方支持部材２１の下端部の、下端面から背面にかけて設けられている。各下端滑止め部材１２は、面取り加工された曲面に沿って、両端および側部の一部が埋め込まれるようにして固定されている。各下端滑止め部材１２は、各側方支持部材２１より下方および背面側に突出するよう設けられている。
【００１８】
各上端滑止め部材１３は、それぞれ天板２２の背面の両端部に設けられている。各上端滑止め部材１３は、天板２２の長さ方向に沿って、両端および側部の一部が埋め込まれるようにして固定されている。各上端滑止め部材１３は、天板２２より背面側に突出するよう設けられている。なお、各下端滑止め部材１２および各上端滑止め部材１３は、やや短めのシリコンチューブの両端を閉じて内部に空気を密封して形成されていてもよい。
【００１９】
立て掛け家具１０は、本体１１を壁１に斜めに立て掛けて設置可能であり、このとき、各下端滑止め部材１２が設置面２に接触し、各上端滑止め部材１３が壁１に接触するよう構成されている。また、立て掛け家具１０は、本体１１を所定の角度で壁１に立て掛けたときに天板２２が水平を成すよう構成されている。
【００２０】
次に、作用について説明する。
立て掛け家具１０は、本体１１を壁１に斜めに立て掛けて設置し、各棚板２３に雑誌等を立て掛けて置いておくことができる。このとき、下端滑止め部材１２により、本体１１が設置面２に沿って滑るのを防ぐことができ、上端滑止め部材１３により、本体１１が壁１に沿ってずり落ちるのを防ぐことができる。このように、本体１１の下部と上部とで滑りを防止することができ、いずれか一方のみで滑りを防ぐものと比べても、安定して設置することができる。
【００２１】
立て掛け家具１０は、大きな支持台や支持脚を必要としないため、設置や収納に場所をとらない。また、本体１１の設置位置からの出っ張りがないため、出っ張った支持台や支持脚に足がぶつかったり、引っ掛かって転倒したりしにくく、安全性が高い。大きな支持台や支持脚を必要としないため、軽量化が容易である。下端滑止め部材１２および上端滑止め部材１３が弾性を有しているため、緩衝効果が得られ、それらが接触する設置面２や壁１を傷付けにくい。本体１１に重いものを載せたりして大きな荷重がかかっても、破損しにくくかつ倒れにくい。
【００２２】
立て掛け家具１０は、本体１１を所定の角度で壁１に立て掛けたときに天板２２が水平を成すため、天板２２の上にも安定して物品を載せることができる。各棚板２３のフランジ部２３ａにより、雑誌等を立て掛けて置いても、雑誌等が棚板２３から滑り落ちるのを防ぐことができる。
【００２３】
図３および図４は、本考案の第２の実施の形態の立て掛け家具３０を示している。
図３および図４に示すように、本考案の第２の実施の形態の立て掛け家具３０は、ハンガーラックから成り、本体３１と１対の下端滑止め部材３２と１対の上端滑止め部材３３とを有している。
【００２４】
本体３１は、ほぼ縦長矩形枠状を成し、１対の側方支持部材４１と天板４２と下部連結部材４３と１対の突出支持部材４４とハンガー掛け４５とを有している。各側方支持部材４１は、角棒状で、両側縁に沿って互いに平行に設けられている。各側方支持部材４１は、下端部の背面側の角が曲面状に面取り加工されている。各側方支持部材４１は、それぞれ正面側側面の４つの高さ位置に設けられた取付孔４１ａを有している。
【００２５】
天板４２は、細長い板状で、各側方支持部材４１の上端を連結するよう設けられている。天板４２は、両端部が各側方支持部材４１よりも外側に突出し、背面側の側縁が各側方支持部材４１よりも背面側に突出するよう設けられている。天板４２は、厚みが上下方向になるよう取り付けられている。下部連結部材４３は、角棒状で、各側方支持部材４１の下部を連結するよう設けられている。
【００２６】
各突出支持部材４４は、所定の長さの細長い丸棒状を成し、一端を各側方支持部材４１の各取付孔４１ａに挿入して各側方支持部材４１に着脱可能に設けられている。各突出支持部材４４は、それぞれ各側方支持部材４１の所定の高さ位置に、正面側に突出するよう取付可能になっている。ハンガー掛け４５は、やや太い丸棒状で、各突出支持部材４４の先端に架け渡されて固定されている。ハンガー掛け４５は、各突出支持部材４４をそれぞれ対応する各側方支持部材４１の取付孔４１ａに取り付けることにより、水平に伸びて設置されるようになっている。
【００２７】
各下端滑止め部材３２および各上端滑止め部材３３は、やや短めのシリコンチューブの内部にシリコンゴムを注入して形成されており、弾性を有している。各下端滑止め部材３２は、それぞれ各側方支持部材４１の下端部の、下端面から背面にかけて設けられている。各下端滑止め部材３２は、面取り加工された曲面に沿って、両端および側部の一部が埋め込まれるようにして固定されている。各下端滑止め部材３２は、各側方支持部材４１より下方および背面側に突出するよう設けられている。
【００２８】
各上端滑止め部材３３は、それぞれ天板４２の背面の両端部に設けられている。各上端滑止め部材３３は、天板４２の長さ方向に沿って、両端および側部の一部が埋め込まれるようにして固定されている。各上端滑止め部材３３は、天板４２より背面側に突出するよう設けられている。なお、各下端滑止め部材３２および各上端滑止め部材３３は、やや短めのシリコンチューブの両端を閉じて内部に空気を密封して形成されていてもよい。
【００２９】
立て掛け家具３０は、本体３１を壁１に斜めに立て掛けて設置可能であり、このとき、各下端滑止め部材３２が設置面２に接触し、各上端滑止め部材３３が壁１に接触するよう構成されている。また、立て掛け家具３０は、本体３１を所定の角度で壁１に立て掛けたときに天板４２が水平を成すよう構成されている。
【００３０】
次に、作用について説明する。
立て掛け家具３０は、本体３１を壁１に斜めに立て掛けて設置し、ハンガー掛け４５にハンガーを掛けて衣類等を吊しておくことができる。このとき、下端滑止め部材３２により、本体３１が設置面２に沿って滑るのを防ぐことができ、上端滑止め部材３３により、本体３１が壁１に沿ってずり落ちるのを防ぐことができる。このように、本体３１の下部と上部とで滑りを防止することができ、いずれか一方のみで滑りを防ぐものと比べても、安定して設置することができる。
【００３１】
立て掛け家具３０は、大きな支持台や支持脚を必要としないため、設置や収納に場所をとらない。また、本体３１の設置位置からの出っ張りがないため、出っ張った支持台や支持脚に足がぶつかったり、引っ掛かって転倒したりしにくく、安全性が高い。大きな支持台や支持脚を必要としないため、軽量化が容易である。下端滑止め部材３２および上端滑止め部材３３が弾性を有しているため、緩衝効果が得られ、それらが接触する設置面２や壁１を傷付けにくい。本体３１に重いものを載せたりして大きな荷重がかかっても、破損しにくくかつ倒れにくい。
【００３２】
立て掛け家具３０は、本体３１を所定の角度で壁１に立て掛けたときに天板４２が水平を成すため、天板４２の上に帽子などを安定して載せることができる。各突出支持部材４４を取り付ける高さを変えることにより、ハンガー掛け４５の高さを容易に変更することができる。通行時に邪魔にならないよう、各側方支持部材４１の下端部より壁１側のスペースに、靴や靴箱、カバンなどを置くことができる。
【符号の説明】
【００３３】
１  壁
２  設置面
１０  立て掛け家具
１１  本体
２１  側方支持部材
２２  天板
２３  棚板
２４  背板
１２  下端滑止め部材
１３  上端滑止め部材
３０  立て掛け家具
３１  本体
４１  側方支持部材
４２  天板
４３  下部連結部材
４４  突出支持部材
４５  ハンガー掛け
３２  下端滑止め部材
３３  上端滑止め部材
【図１】
0003166275.tif 000003
【図２】
0003166275.tif 000004
【図３】
0003166275.tif 000005
【図４】
0003166275.tif 000006